(57)【要約】【課題】表示部で宣伝を行っても、製品イメージの低下を防ぐことができる加熱調理器を提供する。【解決手段】カラー液晶表示部３６は、被加熱物を加熱するための画像を表示する通常モードと、ボタン群４５への予め設定された操作に応じて、宣伝のためのデモンストレーション画像を表示するデモモードとを有する。制御装置５は、カラー液晶表示部３６がデモモードであるとき、デモモードのカラー液晶表示部３６の輝度を通常モードのカラー液晶表示部３６の輝度よりも高くなるように、かつ、蒸気加熱ヒータ４、循環ファン１９、排気ダンパ２５、排気希釈ファン３０、給気ダンパ３３、水加熱ヒータ４１、電磁弁４９およびマグネトロン５２への電力供給が禁止されるように制御する。【選択図】図４
2011038650.tif 000002
【特許請求の範囲】
【請求項１】
ケーシングと、
上記ケーシング内に設けられ、被加熱物を収容する加熱室と、
上記ケーシング内に配置された特定電気部品と、
上記ケーシングに設けられ、ユーザが操作する操作部と、
上記被加熱物を加熱するための画像を表示する通常モードと、上記操作部への予め設定された操作に応じて、宣伝のためのデモンストレーション画像を表示するデモモードとを有する表示部と、
上記特定電気部品への電力供給を制御すると共に、上記表示部の表示を制御する制御部と
を備え、
上記制御部は、上記表示部が上記デモモードであるとき、上記デモモードの上記表示部の輝度を上記通常モードの表示部の輝度よりも高くなるように、かつ、上記特定電気部品への電力供給が禁止されるように制御することを特徴とする加熱調理器。
【請求項２】
請求項１に記載の加熱調理器において、
上記特定電気部品は、熱を出力する熱出力電気部品と、機械的に駆動する機械駆動電気部品とであることを特徴とする加熱調理器。
【発明の詳細な説明】
【技術分野】
【０００１】
本発明は加熱調理器に関する。
【背景技術】
【０００２】
従来、加熱調理器としては、特開２００８−５７８７１号公報（特許文献１）に記載されているように、液晶表示部を備えたものがある。この液晶表示部は、被加熱物を加熱するためのメニューを白黒表示する。
【０００３】
上記液晶表示部が実際の使用とは異なる宣伝用の表示を行えるようにすると、加熱調理器以外の宣伝用機器を販売店に設置しなくても、加熱調理器の宣伝を行えるので、販売促進費用の削減に繋がる。
【０００４】
しかしながら、上記従来の加熱調理器を配置する販売店内では、一般住宅内よりも、照明が明るくなっている。このため、上記販売店を訪れた人が、液晶表示部の表示を見ると、その表示が薄暗いと感じてしまう。
【０００５】
したがって、上記液晶表示部で宣伝を行うと、製品イメージが低下するという問題が生じる。
【先行技術文献】
【特許文献】
【０００６】
【特許文献１】特開２００８−５７８７１号公報
【発明の概要】
【発明が解決しようとする課題】
【０００７】
そこで、本発明の課題は、表示部で宣伝を行っても、製品イメージの低下を防ぐことができる加熱調理器を提供することにある。
【課題を解決するための手段】
【０００８】
上記課題を解決するため、本発明の加熱調理器は、
ケーシングと、
上記ケーシング内に設けられ、被加熱物を収容する加熱室と、
上記ケーシング内に配置された特定電気部品と、
上記ケーシングに設けられ、ユーザが操作する操作部と、
上記被加熱物を加熱するための画像を表示する通常モードと、上記操作部への予め設定された操作に応じて、宣伝のためのデモンストレーション画像を表示するデモモードとを有する表示部と、
上記特定電気部品への電力供給を制御すると共に、上記表示部の表示を制御する制御部と
を備え、
上記制御部は、上記表示部が上記デモモードであるとき、上記デモモードの上記表示部の輝度を上記通常モードの表示部の輝度よりも高くなるように、かつ、上記特定電気部品への電力供給が禁止されるように制御することを特徴としている。
【０００９】
上記構成の加熱調理器を例えば販売店で販売する場合、上記操作部への予め設定された操作を行うと、制御部の制御により、表示部は、デモモードになり、宣伝のためのデモンストレーション画像を表示する。このとき、上記デモモードの表示部の輝度は通常モードの表示部の輝度よりも高くなる。
【００１０】
したがって、上記販売店を訪れた人が、デモモードの表示部を見ても、薄暗いと感じ難くなるので、製品イメージが損なわれないようにすることができる。
【００１１】
また、上記表示部がデモモードのときには、特定電気部品への電力供給が禁止されるので、デモモード中に操作部が操作されたとしても、特定電気部品が駆動しない。
【００１２】
したがって、上記販売店を訪れた人の安全性を確保でき、販売店での展示を安心して行える。
【００１３】
一実施形態の加熱調理器において、
上記特定電気部品は、熱を出力する熱出力電気部品と、機械的に駆動する機械駆動電気部品とである。
【００１４】
上記実施形態の加熱調理器によれば、上記特定電気部品は、熱を出力する熱出力電気部品と、機械的に駆動する機械駆動電気部品とであるので、安全に対する信頼性を確実に高くすることができる。
【発明の効果】
【００１５】
本発明の加熱調理器によれば、制御部は、表示部がデモモードであるとき、デモモードの表示部の輝度を通常モードの表示部の輝度よりも高くなるように制御することによって、例えば販売店を訪れた人が、デモモードの表示部を見ても、薄暗いと感じ難くなるので、製品イメージが損なわれないようにすることができる。
【００１６】
また、上記制御部は、表示部がデモモードであるとき、特定電気部品への電力供給が禁止されるように制御することによって、デモモード中に操作部が操作されたとしても、特定電気部品が駆動しないので、販売店を訪れた人の安全性を確保でき、販売店での展示を安心して行える。
【図面の簡単な説明】
【００１７】
【図１】図１は本発明の一実施形態の加熱調理器の概略正面図である。
【図２】図２は上記実施形態の加熱調理器の模式図である。
【図３】図３は上記実施形態の操作パネルの概略図である。
【図４】図４は上記実施形態の加熱調理器の制御ブロック図である。
【図５】図５は上記実施形態の加熱調理器の制御装置の制御動作を説明するためのフローチャートである。
【発明を実施するための形態】
【００１８】
以下、本発明の加熱調理器を図示の実施の形態により詳細に説明する。
【００１９】
図１は、本発明の一実施形態の加熱調理器の外観斜視図である。
【００２０】
上記加熱調理器では、直方体形状のケーシング１の正面に、下端側の辺を略中心に回動する扉３４が取り付けられている。この扉３４の右側には操作パネル３５を設けている。また、扉３４の上部にはハンドル３７を取り付けると共に、扉３４の略中央には耐熱ガラス３８を取り付けている。
【００２１】
上記操作パネル３５は、カラー液晶表示部３６、ボタン群４５およびダイヤル４６を有している。このカラー液晶表示部３６にはドットマトリックス方式が採用されている。なお、カラー液晶表示部３６は表示部の一例であり、ボタン群４５およびダイヤル４６は操作部の一例である。
【００２２】
図２は上記加熱調理器の概略構成図である。
【００２３】
上記加熱調理器は、ケーシング１と、ケーシング１内に設けられた加熱室２と、蒸気を発生させる蒸気発生装置３と、蒸気発生装置３からの水蒸気を加熱して過熱水蒸気にする蒸気加熱ヒータ４と、蒸気発生装置３や蒸気加熱ヒータ４等の動作を制御する制御装置５とを備えている。ここで、上記過熱水蒸気とは、１００℃以上の過熱状態にまで加熱された水蒸気を意味する。なお、蒸気加熱ヒータ４は熱出力電気部品である特定電気部品の一例であり、制御装置５は制御部の一例である。
【００２４】
上記加熱室２は、扉３４で開閉される開口部を正面側に有する。また、加熱室２の側面、底面および天面はステンレス鋼板からなっている。ユーザは、その開口部を通して、加熱室２に被加熱物１０を入れたり、加熱室２から被加熱物１０を出したりする。また、加熱室２の周囲には断熱材（図示せず）を配置して、加熱室２内と外部とを断熱している。
【００２５】
また、上記加熱室２内には、加熱室２の底面から所定の間隔をあけて鉄等の金属製あるいはセラミックス製のトレイ６が置かれている。トレイ６は、加熱室２の左右の側壁に設けられた下受け棚１１により支持されている。そして、トレイ６上には、鉄等の金属製の調理網７が載置され、その調理網７の略中央に被加熱物１０が置かれる。こうして、被加熱物１０は、加熱室２の底面から間隔をあけた状態で加熱室２内に収容されている。
【００２６】
また、上記加熱室２の左右の側壁には、下受け棚１１よりも上側に位置する中受け棚１２と、中受け棚１２よりも上側に位置する上受け棚１３とが設けられている。中受け棚１２および上受け棚１３も、下受け棚１１と同様に、トレイ６を支持することが可能である。
【００２７】
上記蒸気発生装置３は、蒸気発生部３９と、蒸気発生部３９に供給する水が入る給水タンク４０と、蒸気発生部３９内に設置され、蒸気発生部３９内に溜まった水を加熱して蒸発させる水加熱ヒータ４１と、電磁弁４９とを有している。その水加熱ヒータ４１はシーズヒータを渦巻状に巻いたものである。なお、電磁弁４９は機械駆動電気部品である特定電気部品の一例であり、水加熱ヒータ４１は熱出力電気部品である特定電気部品の一例である。
【００２８】
上記電磁弁４９が開放すると、給水タンク４０内の水が蒸気発生部３９内に流入し、また、電磁弁４９が閉鎖すると、給水タンク４０から蒸気発生部３９への水の移動ができなくなる。また、蒸気発生部３９には水位センサ（図示せず）が設けられており、この水位センサの検出値に応じて、電磁弁４９が開閉するようになっている。
【００２９】
上記給水タンク４０は、蒸気発生部３９に対して着脱可能となっており、正面側からケーシング１外に取り出せるようになっている。
【００３０】
上記蒸気発生部３９の底部には排水弁４２が取り付けられ、この排水弁４２に排水経路１４の一方の端部が接続されている。排水経路１４の他方の端部はつゆ受け９上に位置している。つゆ受け９は、ケーシング１に着脱可能となっており、正面側からケーシング１外に取り出せる。
【００３１】
また、上記加熱室２の一方の側面においては、上受け棚１３と中受け棚１２との間に循環吸気口１５が設けられている。そして、加熱室２の天面には、蒸気加熱ヒータ４に対向するように第１噴出口１６が設けられている。さらに、加熱室２の他方の側面には第２，第３噴出口１７，１８が設けられている。第２噴出口１７は上受け棚１３と中受け棚１２との間に位置している。一方、第３噴出口１８は中受け棚１２と下受け棚１１との間に位置している。このような循環吸気口１５、第１噴出口１６、第２噴出口１７および第３噴出口１８により、加熱室２内の空間と循環経路８内の空間とが互いに連通している。
【００３２】
上記循環経路８は、一端部が循環吸気口１５に接続されていると共に、他端部が第２噴出口１７および第３噴出口１８に接続されている。循環吸気口１５近傍の循環ファン１９は、循環吸気口１５から加熱室２内の水蒸気を吸い込み、蒸気加熱ヒータ４に向けて吹き出す。そして、上記水蒸気は、蒸気加熱ヒータ４で加熱されて過熱水蒸気となった後、第１噴出口１６および第２，第３噴出口１７，１８から、加熱室２内に向かって噴出する。なお、循環ファン１９は機械駆動電気部品である特定電気部品の一例である。
【００３３】
また、上記循環経路８の循環吸気口１５近傍の部分は、蒸気放出経路２０を介して蒸気発生部３９に接続されている。これにより、蒸気発生部３９で発生した水蒸気は、蒸気放出経路２０を流れて循環経路８に入り、循環吸気口１５からの水蒸気と合流して蒸気加熱ヒータ４へ向かって流れる。
【００３４】
また、上記加熱室２内の余剰な蒸気は、第１，第２排気口２１，２２から加熱室２外に流れ出る。
【００３５】
上記第１排気口２１には排気経路２３の一端部が接続されている。また、排気経路２３の他端部はエジェクタ２４を形成している。また、第１排気口２１は、電動ダンパである排気ダンパ２５で開閉可能にしている。なお、排気ダンパ２５は機械駆動電気部品である特定電気部品の一例である。
【００３６】
上記第２排気口２２には排気チューブ２６の一端部が接続されている。また、排気チューブ２６の他端部は排気経路２３に接続されている。これにより、排気チューブ２６内の蒸気は、排気経路２３内の蒸気と合流して、エジェクタ２４からケーシング１外に出ることができるようになっている。また、エジェクタ２４からケーシング１外へ向かう蒸気は、希釈空気経路２７および吸込ダクト２８からの空気と混ざって希釈できるようにもなっている。
【００３７】
上記希釈空気経路２７は、エジェクタ２４内に挿入された一端部と、ファンケーシング２９に接続さている他端部とを有する。このファンケーシング２９内の排気希釈ファン３０がエジェクタ２４へ空気を送る。また、ファンケーシング２９は給気経路３１を介して給気口３２に接続されている。そして、給気口３２は、電動ダンパである給気ダンパ３３で開閉可能にしている。なお、排気希釈ファン３０は機械駆動電気部品である特定電気部品の一例であり、給気ダンパ３３は機械駆動電気部品である特定電気部品の一例である。
【００３８】
また、上記ケーシング１内には、マイクロ波を発生するマグネトロン５２も設置されている。なお、マグネトロン５２は熱出力電気部品である特定電気部品の一例である。
【００３９】
図３は、図１の操作パネル３５を拡大した概略図である。
【００４０】
上記カラー液晶表示部３６は、文字や写真をカラー表示できるものであり、加熱の種類、加熱時間、温度等を表示する。また、カラー液晶表示部３６は通常モードおよびデモモードを有する。この通常モードでは、カラー液晶表示部３６が、被加熱物１０を加熱するための画像を表示する。一方、上記デモモードでは、カラー液晶表示部３６が、ボタン群４５への予め設定された操作に応じて、宣伝のためのデモンストレーション画像を表示する。
【００４１】
上記ダイヤル４６は略円筒形状で操作パネル３５に対して回転自在となっている。このダイヤル４６の径方向内側には決定ボタン４７を配置している。
【００４２】
上記ボタン群４５は、戻るボタン９１、取り消しボタン９２、メニューボタン９３およびスタートボタン９４で構成されている。戻るボタン９１は、カラー液晶表示部３６の画面表示を直前の画面表示に戻すときに押す。また、取り消しボタン９２は、途中で加熱をやめるときや、操作を取り消すときに押す。そして、メニューボタン９３は、カラー液晶表示部３６を初期状態に戻すときに押す。
【００４３】
また、上記操作パネル３５の裏側つまり内部側にはロータリエンコーダ４８を配置している。このロータリエンコーダ４８は、ダイヤル４６の回転速度および回転量を検出すると共に、ダイヤル４６の回転速度および回転量を示す信号を制御装置５（図４参照）へ出力する。
【００４４】
図４は上記加熱調理器の制御ブロック図である。
【００４５】
上記加熱調理器は、マイクロコンピュータと入出力回路等からなる制御装置５を備えている。この制御装置５は、蒸気加熱ヒータ４、循環ファン１９、排気ダンパ２５、排気希釈ファン３０、給気ダンパ３３、水加熱ヒータ４１、電磁弁４９およびマグネトロン５２（以下、蒸気加熱ヒータ４からマグネトロン５２までをまとめて「特定電気部品」と言う。）への電力供給を制御する。また、制御装置５は、ボタン群４５からの信号と、決定ボタン４７からの信号や、ロータリエンコーダ４８からの信号（ダイヤル４６の回転速度および回転量を示す信号）等に基づいて、カラー液晶表示部３６の表示も制御する。また、制御装置５は、カラー液晶表示部３６がデモモードであるとき、デモモードのカラー液晶表示部３６の輝度を通常モードのカラー液晶表示部３６の輝度よりも高くなるように、かつ、特定電気部品への電力供給が禁止されるように制御する。この特定電気部品への電力供給を禁止する方法としては、例えば、カラー液晶表示部３６をデモモードにするのに伴い、特定電気部品と電源（図示せず）との間に設けたスイッチ（図示せず）をＯＦＦにする方法がある。他の方法としては、例えば、ダイヤル４６に対する全ての操作を無効化すると共に、ボタン群４５に対する予め設定された操作以外の操作を無効化する方法がある。
【００４６】
上記構成の加熱調理器を例えば販売店で販売する場合、販売店の店員が、ボタン群４５に予め設定された操作（例えば、戻るボタン９１、取り消しボタン９２、メニューボタン９３およびスタートボタン９４を同時に押す操作）を行うと、カラー液晶表示部３６が通常モードからデモモードに切り換わり、加熱調理器の特徴、効果を分かり易く表示する。このデモモード中、加熱調理器は被加熱物１０を加熱できない状態となる。そして、上記予め設定された操作が再度行われると、カラー液晶表示部３６がデモモードから通常モードに戻り、加熱調理器は被加熱物１０を加熱できる状態になる。
【００４７】
図５は、上記カラー液晶表示部３６や特定電気部品に対する制御装置５の制御動作を説明するためのフローチャートである。なお、カラー液晶表示部３６のデフォルトモードは通常モードである。
【００４８】
上記販売店において加熱調理器に電源を投入すると、図５に示すように、制御装置５の制御がスタートし、まず、ステップＳ１で、ボタン群４５に予め設定された操作が行われたか否かを判定する。ステップＳ１で、ボタン群４５に予め設定された操作が行われた判定すると、次のステップＳ２に進む。一方、上記ステップＳ１で、ボタン群４５に予め設定された操作が行われていないと判定すると、再びステップＳ１を行う。すなわち、ステップＳ１は、ボタン群４５に予め設定された操作が行われたと判定するまで繰り返される。
【００４９】
次に、ステップＳ２で、カラー液晶表示部３６を通常モードからデモモードに切り換える。これに伴い、カラー液晶表示部３６の輝度が高くなるように、かつ、特定電気部品に電力供給がされないようにする。より詳しくは、上記デモモードでは、カラー液晶表示部３６のバックライトのＯＮ時間とＯＦＦ時間との比が８５：１５となり、ＯＮ時間の割合が比較的高くなる。これに対して、上記通常モードでは、カラー液晶表示部３６のバックライトのＯＮ時間とＯＦＦ時間との比が７０：３０となり、ＯＮ時間の割合が比較的低くなる。
【００５０】
次に、ステップＳ３で、ボタン群４５に予め設定された操作が行われたか否かを判定する。ステップＳ３で、ボタン群４５に予め設定された操作が行われた判定すると、次のステップＳ４に進む。一方、上記ステップＳ３で、ボタン群４５に予め設定された操作が行われていないと判定すると、再びステップＳ３を行う。すなわち、ステップＳ３は、ボタン群４５に予め設定された操作が行われたと判定するまで繰り返される。
【００５１】
次に、ステップＳ４で、カラー液晶表示部３６をデモモードから通常モードに切り換える。これに伴い、カラー液晶表示部３６の輝度が低くなるように、かつ、特定電気部品に電力供給がされるようにする。このステップＳ４を行った後は、ステップＳ１に戻り、ステップＳ１を再び行う。
【００５２】
このように、ステップＳ２で、カラー液晶表示部３６がデモモードになることによって、カラー液晶表示部３６が宣伝のためのデモンストレーション画像を表示するので、例えば販売促進用液晶モニターを用いなくても、加熱調理器の宣伝を行える。
【００５３】
したがって、上記加熱調理器の販売促進にかかる費用を低く抑えることができる。
【００５４】
また、上記デモモードのカラー液晶表示部３６の輝度は通常モードのカラー液晶表示部３６の輝度よりも高いので、販売店に訪れた人がデモモードのカラー液晶表示部３６を見ても、カラー液晶表示部３６が薄暗いと感じないようにすることができる。
【００５５】
したがって、上記カラー液晶表示部３６に宣伝のためのデモンストレーション画像を表示させても、製品イメージが悪くなるのを防ぐことができる。
【００５６】
また、上記カラー液晶表示部３６がデモモードのときには、特定電気部品に対する電力供給が不可能となるので、ボタン群４５やダイヤル４６が操作されても、特定電気部品は駆動しない。
【００５７】
したがって、上記販売店を訪れた人の安全性を確保でき、販売店での展示を安心して行える。
【００５８】
また、上記通常モードのカラー液晶表示部３６の輝度は、デモモードのカラー液晶表示部３６の輝度よりも低いので、省エネ、環境温度、家庭環境での表示の見易さ等を考慮した設定にできる。
【００５９】
上記実施形態において、カラー液晶表示部３６に換えて、例えば、カラーＥＬ（エレクトロルミネッセンス）表示部を用いてもよいし、あるいは、白黒表示部を用いてもよい。
【００６０】
上記実施形態では、カラー液晶表示部３６のバックライトのＯＮ時間とＯＦＦ時間との比を変えることによって、デモモードのカラー液晶表示部３６の輝度を通常モードのカラー液晶表示部３６の輝度よりも高くしていたが、カラー液晶表示部３６のバックライトの印加電圧を変えることによって、デモモードのカラー液晶表示部３６の輝度を通常モードのカラー液晶表示部３６の輝度よりも高くしてもよい。
【００６１】
上記実施形態では、ボタン群４５のみに予め設定された操作を行うと、カラー液晶表示部３６が通常モードからデモモードまたはデモモードから通常モードに切り換わるようにしていたが、ダイヤル４６のみに予め設定された操作を行うと、カラー液晶表示部３６が通常モードからデモモードまたはデモモードから通常モードに切り換わるようにしてもよい。あるいは、ボタン群４５およびダイヤル４６に予め設定された操作を行うと、カラー液晶表示部３６が通常モードからデモモードまたはデモモードから通常モードに切り換わるようにしてもよい。但し、これらの操作は、加熱調理器のユーザが通常しないような操作とするのが好ましい。
【００６２】
上記実施形態では、加熱調理器に、過熱水蒸気および水蒸気を生成する機能を持たせていたが、加熱調理器に、水蒸気を生成する機能のみを持たせてもよい。
【００６３】
本発明は、例えば、過熱水蒸気を使用するオーブンレンジのみならず、過熱水蒸気を使用するオーブン、レンジまたはＩＨクッキングヒータ等の加熱調理器にも適用できるし、過熱水蒸気を使用しないオーブン、レンジ、オーブンレンジまたはＩＨクッキングヒータ等の加熱調理器にも適用できる。
【符号の説明】
【００６４】
１  ケーシング
２  加熱室
４  蒸気加熱ヒータ
５  制御装置
１０  被加熱物
１９  循環ファン
２５  排気ダンパ
３０  排気希釈ファン
３３  給気ダンパ
３６  カラー液晶表示部
４１  水加熱ヒータ
４５  ボタン群
４６  ダイヤル
４９  電磁弁
５２  マグネトロン
【図１】
2011038650.tif 000003
【図２】
2011038650.tif 000004
【図３】
2011038650.tif 000005
【図４】
2011038650.tif 000006
【図５】
2011038650.tif 000007